(57)【要約】【課題】冬季においても、また夏季においても快適な居住環境を形成することが可能な建物を提供することを目的とする。【解決手段】南側外壁３の上階部分にはバルコニー５が設けられ、下階部分には玄関出入口８が設けられており、南側外壁３のうち、上階部分にバルコニー５が設けられ、かつ下階部分に玄関出入口８が設けられていない部分の建物内部側に第１部屋１０が配置されており、北側外壁４のうち、南側外壁３の玄関出入口８と対向する部分の建物内部側に第２部屋１１が配置されており、南側外壁３の建物内部側面には突出床部１２が設けられており、この突出床部１２と、バルコニー５の床部６および手摺り７とは光透過性を有する部材で構成されており、玄関出入口８と第２部屋１１とは玄関ホール部９によって接続されており、吹き抜け部とされる第２部屋１１の上部１１ａには排気手段が設けられている建物１。【選択図】図１
2010281093.tif 000002
【特許請求の範囲】
【請求項１】
上階と下階とを有し、南側に面して配置される外壁と、この南側外壁に対向するとともに北側に面して配置される外壁とを備える建物において、
前記南側外壁の上階部分には、上階と下階との間の高さに位置するとともに該南側外壁から建物外部側へと張り出す床部と、この床部の周縁部に立設される手摺りとを備えるバルコニーが設けられ、下階部分には、南側に向かって開口する玄関出入口が設けられており、
前記南側外壁のうち、上階部分に前記バルコニーが設けられ、かつ下階部分に前記玄関出入口が設けられていない部分の建物内部側に第１部屋が配置されており、
前記北側外壁のうち、前記南側外壁の玄関出入口と対向する部分の建物内部側に第２部屋が配置されており、
前記南側外壁の建物内部側面には、前記バルコニーの床部と略等しい高さに、該床部と連続的に配置されるとともに、前記第１部屋側に突出する突出床部が設けられており、
この突出床部と、前記バルコニーの床部および手摺りとは光透過性を有する部材で構成されており、
前記玄関出入口と第２部屋とは、これら玄関出入口と第２部屋との間に配置される玄関ホール部によって接続されており、
前記第２部屋は、下階から上階に吹き抜ける吹き抜け部となっており、この第２部屋の上部には排気手段が設けられていることを特徴とする建物。
【請求項２】
請求項１に記載の建物において、
前記第１部屋は、下階から上階に吹き抜ける吹き抜け部を備えており、この吹き抜け部の上方に位置する屋根にはトップライトが設けられていることを特徴とする建物。
【請求項３】
請求項２に記載の建物において、
前記突出床部の縁部には、前記第１部屋の吹き抜け部に面する手摺りが立設されており、この手摺りは光透過性を有する部材で構成されていることを特徴とする建物。
【請求項４】
請求項１〜３のいずれか一項に記載の建物において、
前記排気手段は、前記北側外壁に形成されるとともに、前記第２部屋と建物外部とを連通する開閉可能な窓であることを特徴とする建物。
【請求項５】
請求項１〜４のいずれか一項に記載の建物において、
前記排気手段は、前記第２部屋の上方に位置する屋根に設けられる開閉可能なトップライトであることを特徴とする建物。
【請求項６】
請求項１〜５のいずれか一項に記載の建物において、
前記第２部屋および玄関ホール部の床面は土間であることを特徴とする建物。
【発明の詳細な説明】
【技術分野】
【０００１】
本発明は、上階と下階とを有し、南側に面して配置される外壁と、この南側外壁に対向するとともに北側に面して配置される外壁とを備える建物に関する。
【背景技術】
【０００２】
従来、住宅等の建物において、特に、リビング等のように家族が集まる部屋は、日当たりを考慮して南側に面した外壁の直ぐ内側に設けられることが多かった（例えば、特許文献１参照）。
日本では、太陽は、常に東の方から南を通って西の方へと動き、夏の太陽は高く、冬の太陽は低い、という特徴を持っている。したがって、リビング等の部屋を南側に配置することによって、該リビング等の部屋への採光を確保できるようになっている。つまり、特に冬季において、入射角の低い太陽光を建物内部に取り入れることができるので、建物内部の温度や明るさを高めることができるという利点がある。
【先行技術文献】
【特許文献】
【０００３】
【特許文献１】特開２００４−０１１１５８号公報
【発明の概要】
【発明が解決しようとする課題】
【０００４】
ところで、例えば建物の南側には、上記のようにリビング等の部屋だけでなく、南側に面する外壁の上階部分にバルコニーを設けたいという要望がある。
ところが、このようにバルコニーを南側の外壁の上階部分に設けてしまうと、このバルコニーが外壁の上階部分から突出する分、建物の下階への入射角を持った太陽光が遮られてしまうという問題がある。そこで、このようにバルコニーを設けたとしても、特に冬季における建物内部への採光を確保できるような技術の開発が望まれている。
【０００５】
また、一般に住宅等の建物では、上述のような採光性の向上に対する要望だけでなく、通風性を良くしたい、という要望がある。特に、夏季においては、空調設備に係るコストの低減を図るためにも、通風性を向上させることで涼を取りたいという要望がある。
ところが、夏季の太陽光は冬季に比べて角度が高いために軒や庇等によって部屋内には直接入射しにくいものの、地面から反射する熱や外壁を暖める熱によって南側に配置された部屋が受ける影響は大きく、単に通風性を向上させたとしても、涼を取るのが困難な場合がある。そこで、特に夏季において、通風によって涼を取ることができるような技術の開発が望まれている。
【０００６】
本発明の課題は、冬季においても、また夏季においても快適な居住環境を形成することが可能な建物を提供することを目的とする。
【課題を解決するための手段】
【０００７】
請求項１に記載の発明は、例えば図１〜図４に示すように、上階１ａと下階１ｂとを有し、南側に面して配置される外壁３と、この南側外壁３に対向するとともに北側に面して配置される外壁４とを備える建物１において、
前記南側外壁３の上階部分には、上階１ａと下階１ｂとの間の高さに位置するとともに該南側外壁３から建物外部側へと張り出す床部６と、この床部６の周縁部に立設される手摺り７とを備えるバルコニー５が設けられ、下階部分には、南側に向かって開口する玄関出入口８が設けられており、
前記南側外壁３のうち、上階部分に前記バルコニー５が設けられ、かつ下階部分に前記玄関出入口８が設けられていない部分の建物内部側に第１部屋１０が配置されており、
前記北側外壁４のうち、前記南側外壁３の玄関出入口８と対向する部分の建物内部側に第２部屋１１が配置されており、
前記南側外壁３の建物内部側面には、前記バルコニーの床部６と略等しい高さに、該床部６と連続的に配置されるとともに、前記第１部屋１０側に突出する突出床部１２が設けられており、
この突出床部１２と、前記バルコニー５の床部６および手摺り７とは光透過性を有する部材で構成されており、
前記玄関出入口８と第２部屋１１とは、これら玄関出入口８と第２部屋１１との間に配置される玄関ホール部９によって接続されており、
前記第２部屋１１は、下階１ｂから上階１ａに吹き抜ける吹き抜け部となっており、この第２部屋１１の上部１１ａには排気手段が設けられていることを特徴とする。
【０００８】
請求項１に記載の発明によれば、前記南側外壁３のうち、上階部分に前記バルコニー５が設けられ、かつ下階部分に前記玄関出入口８が設けられていない部分の建物内部側に第１部屋１０が配置されており、前記突出床部１２と、前記バルコニー５の床部６および手摺り７とが光透過性を有する部材で構成されているので、例えば冬季の比較的入射角の低い太陽光を、これら突出床部１２とバルコニー５の床部６と手摺り７とによって遮られずに建物内部へと入射させることができる。これによって、建物内部への採光性を向上させることができるので、冬季における前記第１部屋１０の快適な居住環境を形成することが可能となる。
また、前記北側外壁４のうち、前記南側外壁３の玄関出入口８と対向する部分の建物内部側に第２部屋１１が配置されており、前記玄関出入口８と第２部屋１１とは前記玄関ホール部９によって接続されているので、特に夏季において、前記玄関出入口８から風を効果的に取り入れることができる。
しかも、前記第２部屋１１は、下階１ｂから上階１ａに吹き抜ける吹き抜け部となっており、この第２部屋１１の上部１１ａには排気手段が設けられているので、例えば暖かい空気がより高い所へと上昇していく性質を利用することで、前記第２部屋１１内の暖かい空気を該第２部屋１１の上部１１ａへと上昇させて、前記排気手段によって排気することができる。これによって、風を前記玄関出入口８から前記第２部屋１１へと確実に取り入れながら、この第２部屋１１内の暖かい空気を前記排気手段によって排気することができるので、夏季における前記第２部屋１１の快適な居住環境を形成することが可能となる。
すなわち、居住者は、冬季においては前記第１部屋１０をリビング等の主たる居住の間とし、夏季においては前記第２部屋１１をリビング等の主たる居住の間とすることで、過ごしにくい冬季・夏季であっても快適に過ごすことが可能となる。
【０００９】
請求項２に記載の発明は、例えば図１，図３および図４に示すように、請求項１に記載の建物１において、
前記第１部屋１０は、下階１ｂから上階１ａに吹き抜ける吹き抜け部１０ａを備えており、この吹き抜け部１０ａの上方に位置する屋根２にはトップライト２１ａ，２２ａが設けられていることを特徴とする。
【００１０】
請求項２に記載の発明によれば、前記第１部屋１０は、下階１ｂから上階１ａに吹き抜ける吹き抜け部１０ａを備えており、この吹き抜け部１０ａの上方に位置する屋根２にはトップライト２１ａ，２２ａが設けられているので、このトップライト２１ａ，２２ａから建物外部の光を取り込むことができ、前記第１部屋１０の吹き抜け部１０ａと、この吹き抜け部１０ａの周囲の採光性を向上させることができる。
また、暖かい空気がより高い所へと上昇していく性質を備えているので、例えば前記トップライト２１ａ，２２ａを開閉可能な構成とすることによって、前記第１部屋１０内の暖かい空気を前記吹き抜け部１０ａの上部へと上昇させて、前記トップライト２１ａ，２２ａから排気することができる。
【００１１】
請求項３に記載の発明は、例えば図１および図４に示すように、請求項２に記載の建物１において、
前記突出床部１２の縁部には、前記第１部屋１０の吹き抜け部１０ａに面する手摺り１３が立設されており、この手摺り１３は光透過性を有する部材で構成されていることを特徴とする。
【００１２】
請求項３に記載の発明によれば、前記突出床部１２の縁部には、前記第１部屋１０の吹き抜け部１０ａに面する手摺り１３が立設されており、この手摺り１３は光透過性を有する部材で構成されているので、例えば冬季の比較的入射角の低い太陽光を、この手摺り１３によって遮られずに建物内部へと入射させることができるとともに、前記突出床部１２上の安全な歩行が可能となる。
【００１３】
請求項４に記載の発明は、例えば図２および図４に示すように、請求項１〜３のいずれか一項に記載の建物１において、
前記排気手段は、前記北側外壁４に形成されるとともに、前記第２部屋１１と建物外部とを連通する開閉可能な窓１１ｂであることを特徴とする。
【００１４】
請求項４に記載の発明によれば、前記排気手段は、前記北側外壁４に形成されるとともに、前記第２部屋１１と建物外部とを連通する開閉可能な窓１１ｂであることから、この窓１１ｂを開放することで、前記第２部屋１１の上部１１ａに溜まる暖かい空気を確実に建物外部へと排出できる。
【００１５】
請求項５に記載の発明は、例えば図２および図４に示すように、請求項１〜４のいずれか一項に記載の建物１において、
前記排気手段は、前記第２部屋１１の上方に位置する屋根２に設けられる開閉可能なトップライト１１ｄであることを特徴とする。
【００１６】
請求項５に記載の発明によれば、前記排気手段は、前記第２部屋１１の上方に位置する屋根２に設けられる開閉可能なトップライト１１ｄであることから、このトップライト１１ｄを開放することで、前記第２部屋１１の上部１１ａに溜まる暖かい空気をより確実に建物外部へと排出できる。
【００１７】
請求項６に記載の発明は、例えば図２および図３に示すように、請求項１〜５のいずれか一項に記載の建物１において、
前記第２部屋１１および玄関ホール部９の床面は土間であることを特徴とする。
【００１８】
請求項６に記載の発明によれば、前記第２部屋１１および玄関ホール部９の床面は土間であることから、これら第２部屋１１および玄関ホール部９内の空気を比較的低温に保つことができるので、夏季であっても、前記第２部屋１１で快適に過ごすことができる。また、前記玄関出入口８から風を取り入れることで、この取り込んだ風が、前記玄関ホール部９を通過して前記第２部屋１１へと到達するので、前記第２部屋１１に向かって比較的涼しい風を吹き込ませることができ、より快適に過ごすことができる。
【発明の効果】
【００１９】
本発明によれば、南側外壁のうち、上階部分にバルコニーが設けられ、かつ下階部分に玄関出入口が設けられていない部分の建物内部側に第１部屋が配置されており、突出床部と、バルコニーの床部および手摺りとが光透過性を有する部材で構成されているので、例えば冬季の比較的入射角の低い太陽光を、これら突出床部とバルコニーの床部と手摺りとによって遮られずに建物内部へと入射させることができる。これによって、建物内部への採光性を向上させることができるので、冬季における第１部屋の快適な居住環境を形成することが可能となる。
また、北側外壁のうち、南側外壁の玄関出入口と対向する部分の建物内部側に第２部屋が配置されており、玄関出入口と第２部屋とは玄関ホール部によって接続されているので、特に夏季において、玄関出入口から風を効果的に取り入れることができる。
しかも、第２部屋は、下階から上階に吹き抜ける吹き抜け部となっており、この第２部屋の上部には排気手段が設けられているので、例えば暖かい空気がより高い所へと上昇していく性質を利用することで、第２部屋内の暖かい空気を該第２部屋の上部へと上昇させて、排気手段によって排気することができる。これによって、風を玄関出入口から第２部屋へと確実に取り入れながら、この第２部屋内の暖かい空気を排気手段によって排気することができるので、夏季における第２部屋の快適な居住環境を形成することが可能となる。
すなわち、居住者は、冬季においては第１部屋をリビング等の主たる居住の間とし、夏季においては第２部屋をリビング等の主たる居住の間とすることで、過ごしにくい冬季・夏季であっても快適に過ごすことが可能となる。
【図面の簡単な説明】
【００２０】
【図１】本発明の建物の一例を示す第１の側断面図である。なお、図中右側が北である。
【図２】本発明の建物の一例を示す第２の側断面図である。なお、図中右側が北である。
【図３】図１に示す建物の下階の平面図である。なお、図中上側が北である。
【図４】図１に示す建物の上階の平面図である。なお、図中上側が北である。
【発明を実施するための形態】
【００２１】
以下、図面を参照して本発明の実施の形態について説明する。
図１は本発明に係る建物の一例を示す側断面図である。
図１において符号１は、建物を示す。この建物１は、上階１ａと下階１ｂとを有し、南側に面して配置される外壁３と、この南側外壁３に対向するとともに北側に面して配置される外壁４とを備えている。
なお、前記南側外壁３とは、建物本体のうち南側を向く外壁の全てを指しており、前記北側外壁４とは、北側を向く外壁の全てを指している。したがって、これら南側外壁３および北側外壁４のうち、一部が建物内部側に後退していたとしても、この後退している部分も後退していない部分も含めて、南側外壁３または北側外壁４と総称している。
【００２２】
前記南側外壁３の上階部分には、図１〜図４に示すように、上階１ａと下階１ｂとの間の高さに位置するとともに該南側外壁３から建物外部側へと張り出す床部６と、この床部６の周縁部に立設される手摺り７とを備えるバルコニー５が設けられ、下階部分には、南側に向かって開口する玄関出入口８が設けられている。
前記玄関出入口８は、図３に示すように、前記南側外壁３の西側端部付近に配置されており、前記バルコニー５は、図４に示すように、前記南側外壁３の西側端部付近以外の部分に亘る範囲で設けられている。
【００２３】
また、前記南側外壁３のうち、図１および図３に示すように、上階部分に前記バルコニー５が設けられ、かつ下階部分に前記玄関出入口８が設けられていない部分の建物内部側に第１部屋１０が配置されている。
この第１部屋１０は、下階１ｂから上階１ａに吹き抜ける吹き抜け部１０ａと、この吹き抜け部１０ａに隣接するとともに下階床から下階天井までの高さの居間１０ｂとを備えている。前記吹き抜け部１０ａは、建物本体の東側端部付近に配置されており、前記居間１０ｂは、建物本体の中央付近に配置されている。
【００２４】
また、前記吹き抜け部１０ａの北側にはキッチン１４が配置されている。
また、前記吹き抜け部１０ａ内には、上階１ａと下階１ｂとを行き来するための階段１５が設けられている。
また、前記居間１０ｂには、前記第２部屋１１へと繋がる出入口１０ｃが、この居間１０ｂの北西付近に設けられている。
【００２５】
また、前記吹き抜け部１０ａの上方に位置する屋根２にはトップライト２１ａ，２２ａが設けられている。
これらトップライト２１ａ，２２ａは、図１に示すように、屋根２の棟部２０を挟んで傾斜する２つの屋根面２１，２２側にそれぞれ設けられている。そして、これらトップライト２１ａ，２２ａから建物外部の光を取り込むことができるようになっている。
また、これらトップライト２１ａ，２２ａは開閉可能な構成とされている。採光だけでなく、建物内部の換気も可能となっている。
【００２６】
なお、屋根２の小屋裏空間２３には、前記トップライト２１ａ，２２ａの直下に位置するロフト２４が設けられており、このロフト２４の床部２５は、光透過性、光拡散性および断熱性を有する部材で構成されている。
これにより、前記トップライト２１ａ，２２ａから建物外部の光を取り込むことができ、取り込んだ光を、前記ロフト２４の床部２５を介して、このロフト２４の床部２５の下方へと通過させることができる。さらに、取り込んだ光は、前記ロフト２４の床部２５によって拡散されることになるので、前記ロフト２４の床部２５の下方の吹き抜け部１０ａに対して全体的に採光できる。また、このロフト２４の床部２５によって、前記ロフト２４から該ロフト２４の床部２５の下方への熱の伝達を確実に防ぐことができるとともに、前記開閉可能に構成されたトップライト２１ａ，２２ａを通じて、前記ロフト２４内の熱気を建物外部へと確実に排気できる。
さらに、前記小屋裏空間２３に、シーリングファン２３ａを設けておけば、これを稼動させることによって、建物内部の換気を促すことができるので、好ましい。
【００２７】
なお、前記ロフト２４の床部２５は、建物の躯体に所定の間隔をあけて並設固定される複数の梁２５ａ…と、これら複数の梁２５ａ…間に設けられ、光透過性、光拡散性および断熱性を有する部材である矩形板状の床本体２５ａと、前記複数の梁２５ａ…に固定されるとともに、桟材を縦横に組んでなり、前記床本体２５ｂを支持する支持体２５ｂとからなる。なお、本実施の形態において、前記床部２５は、このような構成としたが、これに限られるものではなく、本発明の趣旨を逸脱しない範囲で適宜変更可能である。
【００２８】
また、前記ロフト２４の、前記トップライト２１ａ，２２ａの並設方向に沿う両端部に、このロフト２４に出入りするための出入口２６，２７が設けられており、これら出入口２６，２７には開閉自在に構成された戸２６ａ，２７ａがそれぞれ設けられている。
これによって、前記トップライト２１ａ，２２ａと、前記出入口２６，２７とを、適宜、開放または閉塞することができるので、建物内部の空気の流通をコントロールできるようになっている。
【００２９】
また、図２〜図４に示すように、前記北側外壁４のうち、前記南側外壁３の玄関出入口８と対向する部分の建物内部側に第２部屋１１が配置されている。
この第２部屋１１は、下階１ｂから上階１ａに吹き抜ける吹き抜け部となっており、この第２部屋１１の上部１１ａには排気手段が設けられている。
この排気手段は、前記北側外壁４に形成されるとともに、前記第２部屋１１と建物外部とを連通する開閉可能な窓１１ｂと、前記第２部屋１１の上方に位置する屋根２に設けられる開閉可能なトップライト１１ｄとである。これにより、これら窓１１ｂとトップライト１１ｄとを開放することによって第２部屋１１の上部１１ａに溜まる暖かい空気を排気できるようになっている。
また、前記北側外壁４には、前記第２部屋１１の下部と建物外部とを連通する窓１１ｃが形成されており、この窓１１ｃと前記玄関出入口８とを開放しておけば、風を南北に通り抜けさせることができる。
【００３０】
さらに、この第２部屋１１と前記玄関出入口８とは、これら玄関出入口８と第２部屋１１との間に配置される玄関ホール部９によって接続されている。
この玄関ホール部９は、前記玄関出入口８から建物内部に進んだ部分に配置される玄関土間９ａと、この玄関土間９ａよりも一段高いホール９ｂとからなる。また、この玄関ホール部９と前記第２部屋１１の床面は土間で構成されており、これら第２部屋１１および玄関ホール部９内の空気を比較的低温に保つことができるようになっている。
【００３１】
また、前記南側外壁３の建物内部側面には、図１および図４に示すように、前記バルコニーの床部６と略等しい高さに、該床部６と連続的に配置されるとともに、前記第１部屋１０側に突出する突出床部１２が設けられている。
すなわち、この突出床部１２は、前記第１部屋１０の吹き抜け部１０ａに向かって突出するようにして設けられている。
また、この突出床部１２は、上階１ａの前記第１部屋１０の居間１０ｂの上方に配置されるとともに、前記バルコニー５に隣接する部屋１７の床と連続的に設けられている。
さらに、突出床部１２の縁部には、前記第１部屋１０の吹き抜け部１０ａに面する手摺り１３が立設されている。
【００３２】
また、前記突出床部１２および手摺り１３と、前記バルコニー５の床部６および手摺り７とは光透過性を有する部材で構成されている。
なお、光透過性を有する部材とは、例えば、半透明なスリガラスや樹脂板で形成されたもので、透明ではないが光透過性を有する板材を指している。このように光透過性を有する部材で構成することで、例えば冬季の比較的入射角の低い太陽光を、確実に建物内部へと入射させることができる。
また、前記突出床部１２や手摺り１３等のように建物内部に設けるものは、光透過性だけでなく、光拡散性を有していてもよいものとする。これによって、太陽光を建物内部に広く拡散させることができるので、好ましい。なお、本実施の形態においては、前記突出床部１２が光透過性および光拡散性を有しているものとする。
【００３３】
ここで、前記バルコニー５の床部６は、前記光透過性を有する部材である矩形板状の床本体６ａと、バルコニー５周囲の外壁や小壁や梁等に固定されるとともに、桟材を縦横に組んでなり、前記床本体６ａを支持する支持体６ｂとからなる。なお、本実施の形態において、前記床部６は、このような構成としたが、これに限られるものではなく、本発明の趣旨を逸脱しない範囲で適宜変更可能である。
また、前記手摺り７は、矩形板状に形成されるとともに、前記床部６の支持体６ｂが固定される外壁や小壁や梁等の上面に立設されており、さらに、その上端部には、手を乗せるための笠木が取り付けられて構成されている。
さらに、この手摺り７は、平面視において略Ｌ字状に形成されており、前記バルコニー５の長手方向に沿って設けられるだけでなく、短手方向に沿って設けられている。
【００３４】
また、前記突出床部１２は、前記光透過性を有する部材である矩形板状の床本体１２ａと、該突出床部１２周囲の外壁や小壁や梁等に固定されるとともに、桟材を縦横に組んでなり、前記床本体１２ａを支持する支持体１２ｂとからなる。なお、本実施の形態において、前記突出床部１２は、このような構成としたが、これに限られるものではなく、本発明の趣旨を逸脱しない範囲で適宜変更可能である。
また、前記手摺り１３は、矩形板状に形成されるとともに、前記突出床部１２の支持体１２ｂが固定される外壁や小壁や梁等の上面に立設されており、さらに、その上端部には、手を乗せるための笠木が取り付けられて構成されている。
【００３５】
次に、前記第１部屋１０への採光の形態について説明する。
なお、地方によって夏季の日射しや冬季の日射しの角度が異なるため、本実施の形態においては東京における角度を採用する。東京では、太陽光の角度は、冬至の南中時において３１°となっており、夏至の南中時において７７°となっている。すなわち、図１に示す直線の矢印のうち、角度の高い方が夏季の太陽光の角度を指しており、角度の低い方が冬季の太陽光の角度を指している。
【００３６】
本実施の形態の建物１では、夏季の太陽光は、前記屋根２の軒部によって遮られており、建物内部に入らないようになっている。
また、前記第１部屋１０の南側には、南側外壁３を介して、デッキ１０ｄが配置されており、このデッキ１０ｄには太陽光が差し込んでいる。したがって、太陽光は、このデッキ１０ｄには差し込むものの、前記第１部屋１０内には差し込まない構成となっている。
これによって、夏季の強い日差しが建物内部に入ることを防ぐことができるようになっている。
【００３７】
一方、冬季の太陽光は、前記バルコニー５の床部６および手摺り７と、前記突出床部１２および手摺り１３とに当たるようになっているものの、これらバルコニー５の床部６および手摺り７と、前記突出床部１２および手摺り１３とが光透過性を有する部材で構成されているため、これらバルコニー５の床部６および手摺り７と、前記突出床部１２および手摺り１３によって遮られずに、前記第１部屋１０内へと入るようになっている。
【００３８】
なお、図４に示すように、太陽光は、太陽が真南に位置する場合は、前記バルコニー５の床部６および手摺り７と、前記突出床部１２および手摺り１３とを通過して、前記第１部屋１０の吹き抜け部１０ａに対して主に差し込むこととなる。
また、太陽が南東に位置する場合は、上述のように前記手摺り７が平面視略Ｌ字状に形成されているので、太陽光は、前記バルコニー５の床部６および手摺り７と、前記突出床部１２および手摺り１３とを通過して、前記第１部屋１０の居間１０ｂに対して主に差し込むことになる。
また、図３および図４に示すように、建物１の東側外壁の上階部分および下階部分に窓を設けておくことによって、東からの太陽光を建物内部に取り入れることも可能となっている。
【００３９】
次に、第２部屋１１への通気の形態について説明する。
前記第２部屋１１へと風を吹き込ませる際は、前記玄関出入口８を開放するとともに、前記窓１１ｃを開放することで、特に夏季において風を効果的に取り入れることができるようになっている。
また、暖かい空気はより高い所へと上昇していく性質を備えているため、前記第２部屋１１の上部１１ａに溜まるようになっている。そこで、前記窓１１ｂおよびトップライト１１ｄとを開放して、暖かい空気を排気することによって、前記第２部屋１１の快適性を向上できるようになっている。
【００４０】
なお、図２に示すように、前記トップライト１１ｄの下方に、シーリングファン１１ｅを設けておけば、これを稼動させることによって、前記玄関出入口８を開放せずとも、前記第２部屋１１の換気を促すことができるので、好ましい。
【００４１】
また、前記玄関ホール部９および第２部屋１１の床面は土間であるから、比較的冷たい空気を、前記第２部屋１１内を通過させることができるようになっている。また、前記玄関出入口８から取り込んだ空気は、前記玄関ホール部９を通過することによって、冷やされるので、夏季であっても外気を冷やしやすいという利点がある。
【００４２】
このように前記第２部屋１１では、夏季においても過ごしやすくなる構成となっているため、居住者は、夏季と冬季とで、家族が集まる主たる居住の間を変更できるという選択肢を持つことができる。
このような選択肢を活かすために、前記第２部屋１１とキッチン１４との間には、これら第２部屋１１とキッチン１４とを接続する廊下１４ａが配置されており、料理等を前記第２部屋１１に近距離で運ぶことができるようになっている。
また、前記第１部屋１０の居間１０ｂと、前記第２部屋１１との間には、前記出入口１０ｃが設けられており、これら第１部屋１０と第２部屋１１との移動も近距離で行えるようになっている。
すなわち、前記第１部屋１０と第２部屋１１とを結ぶ生活導線を近距離２ルート分確保することができるので、居住者が、夏季と冬季とで、家族が集まる主たる居住の間を変更する際に簡便である。
【００４３】
次に、建物内部の換気の形態について説明する。
前記吹き抜け部１０ａ内には、上述のように階段１５が設けられている。この階段１５を上がった部分には、上階１ａを東西に貫く廊下１６が設けられている。また、この廊下に１６に沿って、上階１ａの北側に部屋１８，１９が並設配置されている。さらに、前記第１部屋１０の居間１０ｂの上方には、前記部屋１７が配置されている。
これら部屋１７，１８，１９には、建物１の南側および北側に、出入口１７ａ，１８ａ，１９ａまたは窓１７ｂ，１８ｂ，１９ｂが設けられている。したがって、これら出入口１７ａ，１８ａ，１９ａおよび窓１７ｂ，１８ｂ，１９ｂを開放しておけば、前記南側外壁３に設けられた窓を開放して取り込んだ風を、建物１の上階１ａを通過させて、さらに、北側から建物外部へと排気することができる。
【００４４】
また、前記廊下１６の西側端部には、図２および図４に示すように、この廊下１６と前記第２部屋１１の上部１１ａとを連通する開口部１６ａ，１６ｂが設けられている。これによって、前記廊下１６を通過する空気と、前記部屋１７の出入口１７ａから出てくる空気を、前記第２部屋１１の上部１１ａへと送ることができ、前記窓１１ｂまたはトップライト１１ｄから排出できるようになっている。
【００４５】
なお、前記屋根２に設けられるトップライト１１ｄ，２１ａ，２２ａは、前記第１部屋１０や第２部屋１１からリモコン等によって遠隔操作できるようになっている。また、前記ロフト２４の出入口２６，２７を開閉する戸２６ａ，２７ａも同じく、リモコン等によって遠隔操作できる構成とすることが好ましい。
【００４６】
本実施の形態によれば、前記南側外壁３のうち、上階部分に前記バルコニー５が設けられ、かつ下階部分に前記玄関出入口８が設けられていない部分の建物内部側に第１部屋１０が配置されており、前記突出床部１２と、前記バルコニー５の床部６および手摺り７とが光透過性を有する部材で構成されているので、例えば冬季の比較的入射角の低い太陽光を、これら突出床部１２とバルコニー５の床部６と手摺り７とによって遮られずに建物内部へと入射させることができる。これによって、建物内部への採光性を向上させることができるので、冬季における前記第１部屋１０の快適な居住環境を形成することが可能となる。
また、前記北側外壁４のうち、前記南側外壁３の玄関出入口８と対向する部分の建物内部側に第２部屋１１が配置されており、前記玄関出入口８と第２部屋１１とは前記玄関ホール部９によって接続されているので、特に夏季において、前記玄関出入口８から風を効果的に取り入れることができる。
しかも、前記第２部屋１１は、下階１ｂから上階１ａに吹き抜ける吹き抜け部となっており、この第２部屋１１の上部１１ａには排気手段が設けられているので、例えば暖かい空気がより高い所へと上昇していく性質を利用することで、前記第２部屋１１内の暖かい空気を該第２部屋１１の上部１１ａへと上昇させて、前記排気手段によって排気することができる。これによって、風を前記玄関出入口８から前記第２部屋１１へと確実に取り入れながら、この第２部屋１１内の暖かい空気を前記排気手段によって排気することができるので、夏季における前記第２部屋１１の快適な居住環境を形成することが可能となる。
すなわち、居住者は、冬季においては前記第１部屋１０をリビング等の主たる居住の間とし、夏季においては前記第２部屋１１をリビング等の主たる居住の間とすることで、過ごしにくい冬季・夏季であっても快適に過ごすことが可能となる。
【００４７】
また、前記第１部屋１０は、下階１ｂから上階１ａに吹き抜ける吹き抜け部１０ａを備えており、この吹き抜け部１０ａの上方に位置する屋根２にはトップライト２１ａ，２２ａが設けられているので、このトップライト２１ａ，２２ａから建物外部の光を取り込むことができ、前記第１部屋１０の吹き抜け部１０ａと、この吹き抜け部１０ａの周囲の採光性を向上させることができる。
また、暖かい空気がより高い所へと上昇していく性質を備えているので、例えば前記トップライト２１ａ，２２ａを開閉可能な構成とすることによって、前記第１部屋１０内の暖かい空気を前記吹き抜け部１０ａの上部へと上昇させて、前記トップライト２１ａ，２２ａから排気することができる。
【００４８】
また、前記突出床部１２の縁部には、前記第１部屋１０の吹き抜け部１０ａに面する手摺り１３が立設されており、この手摺り１３は光透過性を有する部材で構成されているので、例えば冬季の比較的入射角の低い太陽光を、この手摺り１３によって遮られずに建物内部へと入射させることができるとともに、前記突出床部１２上の安全な歩行が可能となる。
【００４９】
また、前記排気手段は、前記北側外壁４に形成されるとともに、前記第２部屋１１と建物外部とを連通する開閉可能な窓１１ｂと、前記第２部屋１１の上方に位置する屋根２に設けられる開閉可能なトップライト１１ｄとであることから、これら窓１１ｂおよびトップライト１１ｄのうち、少なくとも一方を開放することで、前記第２部屋１１の上部１１ａに溜まる暖かい空気を確実に建物外部へと排出できる。
【００５０】
また、前記第２部屋１１および玄関ホール部９の床面は土間であることから、これら第２部屋１１および玄関ホール部９内の空気を比較的低温に保つことができるので、夏季であっても、前記第２部屋１１で快適に過ごすことができる。また、前記玄関出入口８から風を取り入れることで、この取り込んだ風が、前記玄関ホール部９を通過して前記第２部屋１１へと到達するので、前記第２部屋１１に向かって比較的涼しい風を吹き込ませることができ、より快適に過ごすことができる。
【符号の説明】
【００５１】
１  建物
１ａ  上階
１ｂ  下階
３  南側外壁
４  北側外壁
５  バルコニー
６  床部
７  手摺り
８  玄関出入口
９  玄関ホール部
１０  第１部屋
１１  第２部屋
１２  突出床部
【図１】
2010281093.tif 000003
【図２】
2010281093.tif 000004
【図３】
2010281093.tif 000005
【図４】
2010281093.tif 000006